(57)【要約】【課題】回収したレシートのカール癖の再発を抑制し、多数枚のレシートを長時間に亘り、省スペースに収容しておくことができる取り忘れレシート回収構造を提供する。【解決手段】レシートＭのカール癖を矯正するレシート矯正部１０と、カール癖が矯正されたレシートＭを順次積層して収容するレシート収容部２０とを有し、レシート矯正部１０は、レシートＭの紙幅方向Ｗの両端に、レシートＭの紙幅方向Ｗに垂直な方向に延在し、かつ、下向きに曲がった形状の対の折り目を付けることによってレシートＭのカール癖を矯正し、レシート収容部２０は、その底面から上方に突出し、収容するレシートＭの対の折り目の間を支持するレシート載置台２２を有する、取り忘れレシート回収構造。【選択図】図１
2019104585.tif 000002
【特許請求の範囲】
【請求項１】
ロール用紙に印字を行ってレシートとして排紙部から前方に排出するプリンタの筐体内に搭載される取り忘れレシート回収構造であって、
レシートのカール癖を矯正するレシート矯正部と、
カール癖が矯正されたレシートを順次積層して収容するレシート収容部と、を有し、
前記レシート矯正部は、レシートの紙幅方向の両端に、レシートの紙幅方向に垂直な方向に延在し、かつ、下向きに曲がった形状の対の折り目を付けることによってレシートのカール癖を矯正し、
前記レシート収容部は、その底面から上方に突出し、収容するレシートの前記対の折り目の間を支持するレシート載置台を有する、取り忘れレシート回収構造。
【請求項２】
前記レシート収容部は、前記レシート矯正部よりも後方かつ下方に設けられ、
前記レシート矯正部は、前記プリンタの前記排紙部の後方に設けられており、
前記レシート矯正部はさらに、
前記排紙部に滞留したレシートを前記レシート収容部に向けて搬送するレシート搬送手段と、
前記レシート搬送手段によって搬送中のレシートに前記対の折り目を付ける折り目付与手段と、を有する、請求項１に記載の取り忘れレシート回収構造。
【請求項３】
前記レシート搬送手段は、
レシートの下側にて前記紙幅方向に平行に延在するように設けられる下側回転軸と、
前記紙幅方向にレシートの紙幅よりも小さい間隔で対をなすように、前記下側回転軸に取り付けられた対の下側搬送ローラと、
レシートの上側にて前記紙幅方向に平行に延在するように設けられる上側回転軸と、
前記紙幅方向にレシートの紙幅よりも小さい間隔で対をなすように、前記上側回転軸に取り付けられ、レシートの紙面を、前記対の下側搬送ローラと共に挟んでレシートを後方に搬送する対の上側搬送ローラと、を有し、
前記折り目付与手段は、
前記対の下側搬送ローラに設けられ、前記紙幅方向に垂直な平坦面状または該紙幅方向の外側に向かって傾斜したテーパ面状を呈する対の外側側面と、
前記紙幅方向における前記対の上側搬送ローラよりも外側で対をなすように、前記上側回転軸に取り付けられた対の折り曲げローラと、
前記対の折り曲げローラに設けられ、前記紙幅方向の内側に向かって傾斜したテーパ面状を呈し、後方に搬送中のレシートの前記紙幅方向の両端の紙面を、前記対の外側側面と共に挟んでレシートに前記対の折り目を付ける対の内側側面と、を有する、請求項２に記載の取り忘れレシート回収構造。
【請求項４】
前記レシート載置台は、レシートの前記対の折り目の折り曲げ高さよりも大きい高さを有する、請求項１乃至３のいずれか一項に記載の取り忘れレシート回収構造。
【請求項５】
前記レシート載置台は、レシートの前記対の折り目の間隔よりも小さい幅を有する、請求項１乃至４のいずれか一項に記載の取り忘れレシート回収構造。
【請求項６】
前記レシート収容部に積層して収容されたレシートを上方から前記レシート載置台に向けて押圧するレシート押さえ板をさらに有する、請求項１乃至５のいずれか一項に記載の取り忘れレシート回収構造。
【請求項７】
前記レシート押さえ板は、少なくともレシートの前記紙幅方向における前記対の折り目の間を押圧する請求項６に記載の取り忘れレシート回収構造。
【請求項８】
前記レシート押さえ板は、後方に行くにしたがって前記レシート載置台との離間距離が小さくなるように傾斜しており、前記レシート矯正部から搬送されるレシートを前記レシート収容部に案内する、請求項６または７に記載の取り忘れレシート回収構造。
【請求項９】
請求項１乃至８のいずれか一項に記載の取り忘れレシート回収構造を有するプリンタ。
【請求項１０】
請求項９に記載のプリンタを有する自動取引装置。
【発明の詳細な説明】
【技術分野】
【０００１】
本発明は、取り忘れレシート回収構造、プリンタおよび自動取引装置に関する。
【背景技術】
【０００２】
ＡＴＭ（Automated Teller Machine）等の自動取引装置に内蔵または隣接して設置され、印字媒体としてのロール用紙に印字を行ってレシートとして排出するプリンタには、利用者が取り忘れたレシートを一定時間後に自動的に回収する取り忘れレシート回収構造を有するものがある。回収するレシートは、プリンタまたは自動取引装置内に引き込まれ、収容部に複数枚のレシートを順次積層した状態で収容される。取り忘れレシート回収構造は、例えば、特許文献１、２に開示されている。
【０００３】
ところで、ロール用紙を使用するプリンタから排出されるレシートは一般に、カール癖が付いている。カール癖が付いたレシートは、複数枚を整然と積層することができないため、取り忘れレシートの収容部が直ぐに満杯となる。収容部から溢れたレシートは、次に収容されるレシートと干渉して用紙ジャム等を引き起こしかねない。その結果、取り忘れレシート回収構造の回収動作を阻害するばかりでなく、プリンタの印字動作をも阻害する虞がある。このため、取り忘れレシート回収構造の中には、特許文献２に開示された技術のように、カール癖を矯正した上でレシートを回収するものがある。
【０００４】
尚、特許文献３、４には、取り忘れレシート回収構造を有さず、また、印字媒体としてロール用紙を利用しないプリンタではあるが、印字済用紙のカール癖を矯正する技術が開示されている。
【先行技術文献】
【特許文献】
【０００５】
【特許文献１】特開平０８−１６１５４８号公報
【特許文献２】特開２００５−２５５３６６号公報
【特許文献３】特開２００５−２６３４１８号公報
【特許文献４】特開２０１１−００１１４２号公報
【発明の概要】
【発明が解決しようとする課題】
【０００６】
ところで、例えば、ロール用紙の厚さが７０μｍ以上に厚かったり、紙質によっては、印字媒体の所謂「腰」がかなり強いことがある。その場合には、前述した印字済み用紙のカール癖を矯正する技術によって強制を施したとしても、時間の経過に伴って矯正した箇所が徐々に元に戻り、矯正前程のカール量ではないとしても、ある程度のカール癖が復活してしまう虞がある。カール癖が復活したレシートは取り忘れレシートの収容部から溢れ、取り忘れレシート回収構造の回収動作や、プリンタの印字動作を阻害する可能性がある。このため、回収したレシートのカール癖の再発を抑制し、多数枚のレシートを長時間に亘り、省スペースに収容しておくことができる取り忘れレシート回収構造が望まれる。
【０００７】
本発明の目的は、回収したレシートのカール癖の再発を抑制し、多数枚のレシートを長時間に亘り、省スペースに収容しておくことができる取り忘れレシート回収構造を提供することである。
【０００８】
本発明の他の目的は、上記のような取り忘れレシート回収構造を有するプリンタを提供することである。
【０００９】
本発明のさらに他の目的は、上記のようなプリンタを有する自動取引装置を提供することである。
【課題を解決するための手段】
【００１０】
本発明によれば、ロール用紙に印字を行ってレシートとして排紙部から前方に排出するプリンタの筐体内に搭載される取り忘れレシート回収構造であって、レシートのカール癖を矯正するレシート矯正部と、カール癖が矯正されたレシートを順次積層して収容するレシート収容部と、を有し、前記レシート矯正部は、レシートの紙幅方向の両端に、レシートの紙幅方向に垂直な方向に延在し、かつ、下向きに曲がった形状の対の折り目を付けることによってレシートのカール癖を矯正し、前記レシート収容部は、その底面から上方に突出し、収容するレシートの前記対の折り目の間を支持するレシート載置台を有する、取り忘れレシート回収構造が得られる。
【００１１】
本発明によればまた、前記取り忘れレシート回収構造を有するプリンタが得られる。
【００１２】
本発明によればさらに、前記プリンタを有する自動取引装置が得られる。
【発明の効果】
【００１３】
本発明による取り忘れレシート回収構造は、回収したレシートのカール癖の再発を抑制し、多数枚のレシートを長時間に亘り、省スペースに収容しておくことができる。
【図面の簡単な説明】
【００１４】
【図１】本発明の第１の実施形態による取り忘れレシート回収構造の斜視図である。
【図２】本発明の第１の実施形態による取り忘れレシート回収構造の後方から見た矢視図である。
【図３】本発明の第２の実施形態による取り忘れレシート回収構造の斜視図である。
【発明を実施するための形態】
【００１５】
以下、図面を参照して、本発明による取り忘れレシート回収構造、プリンタおよび自動取引装置を説明する。
【００１６】
図中、符号Ｗは本取り忘れレシート回収構造またはプリンタの幅方向（左方向Ｗｌ、右方向Ｗｒを含む）を示し、符号Ｈは本取り忘れレシート回収構造またはプリンタの高さ方向（下方向Ｈｌ、上方向Ｈｕを含む）を示し、符号Ｄは本取り忘れレシート回収構造またはプリンタの奥行方向（前方向Ｄｆ、後ろ方向Ｄｒを含む）を示している。尚、レシートの紙幅方向は、上記幅方向Ｗと平行であるため、以下では、紙幅方向Ｗとも表記する。
【００１７】
［第１の実施形態］
図１および図２を参照すると、本発明の第１の実施形態による取り忘れレシート回収構造は、ロール用紙に印字を行ってレシートＭとして排紙部から前方向Ｄｆに排出するプリンタの筐体内に搭載されている。このプリンタは、例えばコンビニエンスストアに配備される自動取引装置に内蔵または隣接して設置される。尚、本例において、ロール用紙の厚さは７０μｍであるが、６０μｍ等、他の厚さであってもよい。
【００１８】
本取り忘れレシート回収構造は、プリンタの排紙部の後方に設けられたレシート矯正部１０と、レシート矯正部１０よりも後方かつ下方に設けられたレシート収容部２０とを有している。
【００１９】
レシート矯正部１０は、プリンタの排紙部に滞留したレシートＭをレシート収容部２０に向けて搬送するレシート搬送手段と、このレシート搬送手段によって搬送中のレシートＭに対の折り目を付ける折り目付与手段とを有している。
【００２０】
レシート矯正部１０は、プリンタの排紙部に滞留したレシートＭを後方に搬送しながら、レシートＭの紙幅方向Ｗの両端に紙幅方向Ｗに垂直な方向に延在する対の折り目を付けることによってレシートＭのカール癖を矯正する。この対の折り目により、レシートＭは、図２に示すように、中央部Ｍｃと、両端部Ｍｅとを有する。
【００２１】
レシート収容部２０は、カール癖が矯正されたレシートＭを順次積層して収容する。
【００２２】
レシート矯正部１０のレシート搬送手段は、レシートＭの下側にて紙幅方向Ｗに平行に延在するように設けられる下側回転軸１１Ｘと、紙幅方向ＷにレシートＭの紙幅よりも小さい間隔で対をなすように、下側回転軸１１Ｘに取り付けられた対の下側搬送ローラ１１Ｒと、レシートＭの上側にて紙幅方向Ｗに平行に延在するように設けられる上側回転軸１２Ｘと、紙幅方向ＷにレシートＭの紙幅よりも小さい間隔で対をなすように、上側回転軸１２Ｘに取り付けられ、レシートＭの紙面を、対の下側搬送ローラ１１Ｒと共に挟んでレシートＭを後方に搬送する対の上側搬送ローラ１２Ｒとを有している。尚、対の下側搬送ローラ１１Ｒの対の外側側面は、紙幅方向Ｗの外側に向かって傾斜したテーパ面状であってもよい。
【００２３】
レシート矯正部１０の折り目付与手段は、対の下側搬送ローラ１１Ｒに設けられ、紙幅方向Ｗに垂直な平坦面状を呈する対の外側側面１１Ｒｔと、紙幅方向Ｗにおける対の上側搬送ローラ１２Ｒよりも外側で対をなすように、上側回転軸１２Ｘに取り付けられた対の折り曲げローラ１２Ｃと、対の折り曲げローラ１２Ｃに設けられ、紙幅方向Ｗの内側に向かって傾斜したテーパ面状を呈し、後方に搬送中のレシートＭの紙幅方向Ｗの両端の紙面を、対の外側側面１１Ｒｔと共に挟んでレシートＭに下方向Ｈｌに曲がった形状の対の折り目を付ける対の内側側面１２Ｃｉとを有している。尚、図２においては、図示の都合上、対の外側側面１１Ｒｔと対の内側側面１２Ｃｉとが大きく離間しているように描かれているが、実際は、レシートＭの紙面を挟み得る程度の離間距離である。
【００２４】
下側回転軸１１Ｘ（対の下側搬送ローラ１１Ｒ）および上側回転軸１２Ｘ（対の上側搬送ローラ１２Ｒ、対の折り曲げローラ１２Ｃ）は、駆動源としてのモータ６１によって駆動される。モータ６１の回転軸にはプーリ６２が取り付けられている。下側回転軸１１Ｘにはプーリ６４と歯車６５が取り付けられている。上側回転軸１２Ｘには歯車６６が取り付けられている。プーリ６２とプーリ６４との間には、ベルト６３が掛けられている。歯車６５と歯車６６とは互いに歯合している。よって、モータ６１の回転駆動力は、プーリ６２、ベルト６３およびプーリ６４を介して、下側回転軸１１Ｘおよび対の下側搬送ローラ１１Ｒに伝達される。さらに、下側回転軸１１Ｘに伝達された回転駆動力は、歯車６５および歯車６６を介して、上側回転軸１２Ｘおよび対の上側搬送ローラ１２Ｒおよび対の折り曲げローラ１２Ｃに伝達される。
【００２５】
レシート収容部２０は、上方が開口した半容器状を呈しており（図２のみに図示）、その底面２１上に設けられた矩形状のレシート載置台２２を有している。レシート載置台２２は、収容するレシートＭの紙幅方向Ｗにおける対の折り目の間（中央部Ｍｃ）を支持する。
【００２６】
レシート載置台２２はまた、レシートＭの対の折り目の折り曲げ高さｈＭｅよりも大きい高さｈ２２を有している。これにより、レシート収容部２０内のレシート載置台２２に支持された一枚または複数枚のレシートＭの両端部Ｍｅがレシート収容部２０の底面２１に接触して一枚または複数枚のレシートＭの自重によって折り目が元に戻る方向に力が加わることを防ぐことが可能である。その結果、レシート収容部２０に収容された一枚または複数枚のレシートＭは、長時間に亘って矯正された状態を維持でき、再びカール癖が発生することを防ぐことができる。即ち、本発明に係る取り忘れレシート回収構造は、回収したレシートのカール癖の再発を抑制し、多数枚のレシートを長時間に亘り、省スペースに収容しておくことができる。
【００２７】
レシート載置台２２はまた、レシートＭの対の折り目の間隔ｈＭｃよりも小さい幅ｗ２２を有している。つまり、レシート載置台２２は、レシートＭの中央部Ｍｃのみを支持するように構成されている。これにより、レシート収容部２０に収容された一枚または複数枚のレシートＭが本構造またはプリンタの幅方向Ｗに横ズレしそうになっても、両端部Ｍｅがレシート載置台２２の側面に当接し、横ズレを防ぐことができる。その結果、レシートＭの両端部Ｍｅがレシート収容部２０の底面２１に接触して折り目が元に戻る方向に力が加わることを防ぐことが可能である。
【００２８】
尚、レシートＭの対の折り目の折り曲げ高さｈＭｅは、例えば、約１０ｍｍである。折り曲げ高さｈＭｅが１０ｍｍよりも小さいと、折り曲げによる矯正効果が小さく、カール癖が再発する可能性がある。また、折り曲げ高さｈＭｅが１０ｍｍよりも大きいと、折り曲げによる矯正効果は大きいものの、レシート収容部２０内での積層高さが高くなり、レシート収容部の省スペース化に不都合が生じる可能性がある。
【００２９】
以上のように、本発明の第１の実施形態による取り忘れレシート回収構造は、回収したレシートのカール癖の再発を抑制し、多数枚のレシートを長時間に亘り、省スペースに収容しておくことができる。
【００３０】
［第２の実施形態］
本発明の第２の実施形態は、レシート押さえ板を有する点で、第１の実施形態と異なっている。このため、第１の実施形態と同一部または同様部については、第１の実施形態の説明を援用することとし、詳細な説明を省略する。
【００３１】
図３を参照すると、本発明の第２の実施形態による取り忘れレシート回収構造は、第１の実施形態と同様に、ロール用紙に印字を行ってレシートＭとして排紙部から前方向Ｄｆに排出するプリンタの筐体内に搭載されている。このプリンタは、例えばコンビニエンスストアに配備される自動取引装置に内蔵または隣接して設置される。尚、本例において、ロール用紙の厚さは７０μｍであるが、６０μｍ等、他の厚さであってもよい。
【００３２】
本取り忘れレシート回収構造は、レシート矯正部１０と、レシート収容部２０と、レシート押さえ板３０と有している。
【００３３】
レシート矯正部１０は、第１の実施形態と同様に、プリンタの排紙部に滞留したレシートＭをレシート収容部２０に向けて搬送するレシート搬送手段と、このレシート搬送手段によって搬送中のレシートＭに対の折り目を付ける折り目付与手段とを有している。レシート搬送手段と、折り目付与手段とについては、第１の実施形態における説明を援用的に代用することとする。
【００３４】
レシート矯正部１０は、プリンタの排紙部の後方に設けられ、排紙部に滞留したレシートＭを後方に搬送しながら、レシートＭの紙幅方向Ｗの両端に紙幅方向Ｗに垂直な方向に延在する対の折り目を付けることによってレシートＭのカール癖を矯正する。この対の折り目により、レシートＭは、援用的に用いる図２に示すように、中央部Ｍｃと、両端部Ｍｅとを有する。
【００３５】
レシート収容部２０は、レシート矯正部１０よりも後方かつ下方に設けられ、カール癖が矯正されたレシートＭを順次積層して収容する。
【００３６】
レシート矯正部１０は、レシートＭの下側にて紙幅方向Ｗに平行に延在するように設けられる下側回転軸１１Ｘと、紙幅方向ＷにレシートＭの紙幅よりも小さい間隔で対をなすように、下側回転軸１１Ｘに取り付けられた対の下側搬送ローラ１１Ｒと、レシートＭの上側にて紙幅方向Ｗに平行に延在するように設けられる上側回転軸１２Ｘと、紙幅方向ＷにレシートＭの紙幅よりも小さい間隔で対をなすように、上側回転軸１２Ｘに取り付けられた対の上側搬送ローラ１２Ｒと、紙幅方向Ｗにおける対の上側搬送ローラ１２Ｒよりも外側で対をなすように、上側回転軸１２Ｘに取り付けられた対の折り曲げローラ１２Ｃとを有している。
【００３７】
下側回転軸１１Ｘ（対の下側搬送ローラ１１Ｒ）および上側回転軸１２Ｘ（対の上側搬送ローラ１２Ｒ、対の折り曲げローラ１２Ｃ）は、駆動源としてのモータ６１によって駆動される。モータ６１の回転軸にはプーリ６２が取り付けられている。下側回転軸１１Ｘにはプーリ６４と歯車６５が取り付けられている。上側回転軸１２Ｘには歯車６６が取り付けられている。プーリ６２とプーリ６４との間には、ベルト６３が掛けられている。歯車６５と歯車６６とは互いに歯合している。よって、モータ６１の回転駆動力は、プーリ６２、ベルト６３およびプーリ６４を介して、下側回転軸１１Ｘおよび対の下側搬送ローラ１１Ｒに伝達される。さらに、下側回転軸１１Ｘに伝達された回転駆動力は、歯車６５および歯車６６を介して、上側回転軸１２Ｘおよび対の上側搬送ローラ１２Ｒおよび対の折り曲げローラ１２Ｃに伝達される。
【００３８】
対の下側搬送ローラ１１Ｒおよび対の上側搬送ローラ１２Ｒは、レシートＭの紙面を挟んでレシートＭを後ろ方向Ｄｒに搬送する。
【００３９】
対の下側搬送ローラ１１Ｒは、援用的に用いる図２に示すように、紙幅方向Ｗに垂直な平坦面状または紙幅方向Ｗの外側に向かって傾斜したテーパ面状の対の外側側面１１Ｒｔを有している。尚、対の下側搬送ローラ１１Ｒの対の外側側面は、紙幅方向Ｗの外側に向かって傾斜したテーパ面状であってもよい。
【００４０】
対の折り曲げローラ１２Ｃは、援用的に用いる図２に示すように、紙幅方向Ｗの内側に向かって傾斜したテーパ面状の対の内側側面１２Ｃｉを有している。
【００４１】
対の下側搬送ローラ１１Ｒの対の外側側面１１Ｒｔおよび対の折り曲げローラ１２Ｃの対の内側側面１２Ｃｉは、後ろ方向Ｄｒに搬送中のレシートＭの紙幅方向Ｗの両端の紙面を挟んでレシートＭに下方向Ｈｌに曲がった形状の対の折り目を付ける。
【００４２】
レシート収容部２０は、上方が開口した半容器状を呈しており（図２のみに図示）、その底面２１上に設けられた矩形状のレシート載置台２２を有している。レシート載置台２２は、収容するレシートＭの紙幅方向Ｗにおける対の折り目の間（中央部Ｍｃ）を支持する。
【００４３】
レシート載置台２２はまた、レシートＭの対の折り目の折り曲げ高さｈＭｅよりも大きい高さｈ２２を有している。これにより、レシート収容部２０内のレシート載置台２２に支持された一枚または複数枚のレシートＭの両端部Ｍｅがレシート収容部２０の底面２１に接触して一枚または複数枚のレシートＭの自重によって折り目が元に戻る方向に力が加わることを防ぐことが可能である。その結果、レシート収容部２０に収容された一枚または複数枚のレシートＭは、長時間に亘って矯正された状態を維持でき、再びカール癖が発生することを防ぐことができる。即ち、本発明に係る取り忘れレシート回収構造は、回収したレシートのカール癖の再発を抑制し、多数枚のレシートを長時間に亘り、省スペースに収容しておくことができる。
【００４４】
レシート載置台２２はまた、レシートＭの対の折り目の間隔ｈＭｃよりも小さい幅ｗ２２を有している。つまり、レシート載置台２２は、レシートＭの中央部Ｍｃのみを支持するように構成されている。これにより、レシート収容部２０に収容された一枚または複数枚のレシートＭが本構造またはプリンタの幅方向Ｗに横ズレしそうになっても、両端部Ｍｅがレシート載置台２２の側面に当接し、横ズレを防ぐことができる。その結果、レシートＭの両端部Ｍｅがレシート収容部２０の底面２１に接触して折り目が元に戻る方向に力が加わることを防ぐことが可能である。
【００４５】
尚、レシートＭの対の折り目の折り曲げ高さｈＭｅは、例えば、約１０ｍｍである。折り曲げ高さｈＭｅが１０ｍｍよりも小さいと、折り曲げによる矯正効果が小さく、カール癖が再発する可能性がある。また、折り曲げ高さｈＭｅが１０ｍｍよりも大きいと、折り曲げによる矯正効果は大きいものの、レシート収容部２０内での積層高さが高くなり、レシート収容部の省スペース化に不都合が生じる可能性がある。
【００４６】
レシート押さえ板３０は、レシート収容部２０に積層して収容されたレシートＭを上方からレシート載置台２２に向けて押圧する。レシート押さえ板３０は、上側回転軸１２Ｘと同心の中心軸３０ｘを中心として回動可能なフラップ状を呈している。レシート押さえ板３０は、中央部３０ｃと、両端部３０ｅと、先端部３０ｔとを有している。
【００４７】
本例において、レシート押さえ板３０には、レシートＭに対する押圧力を発生するバネ類は設けられていない。レシート押さえ板３０の先端部３０ｔは、レシート押さえ板３０の自重と、中心軸３０ｘからの距離とに基づくモーメントにより、レシートＭに対する押圧力を発生する。尚、レシート押さえ板３０の先端部３０ｔは、レシートＭの紙幅方向Ｗにおける対の折り目の間（図２に示す中央部Ｍｃ）を、例えば全幅に亘って押圧可能である。尚、レシート押さえ板３０は、中央部３０ｃと先端部３０ｔとを有しても良い。この場合は、先端部３０ｔの幅はレシートＭの中央部Ｍｃの幅より狭くても良い。
【００４８】
また、レシート押さえ板３０は、後ろ方向Ｄｒに行くにしたがってレシート載置台２２との離間距離が小さくなるように傾斜している。このため、レシート矯正部１０から搬送されるレシートＭをレシート収容部２０に案内することが可能である。尚、レシートＭに対する押圧力は、レシート矯正部１０からレシート収容部２０への搬送を阻害しない大きさに設定される。
【００４９】
以上のように、本発明の第２の実施形態による取り忘れレシート回収構造も、第１の実施形態と同様に、回収したレシートのカール癖の再発を抑制し、多数枚のレシートを長時間に亘り、省スペースに収容しておくことができる。さらに、本発明の第２の実施形態による取り忘れレシート回収構造は、レシート押さえ板によってレシート載置部に支持された１枚または複数枚のレシートを押圧するため、第１の実施形態よりも高いレシートのカール癖の再発を抑制する効果を奏する。
【符号の説明】
【００５０】
１０    レシート矯正部
１１Ｒ  対の下側搬送ローラ
１１Ｘ  下側回転軸
１２Ｃ  対の折り曲げローラ
１２Ｒ  対の上側搬送ローラ
１２Ｘ  上側回転軸
２０    レシート収容部
２１    底面
２２    レシート載置台
３０    レシート押さえ板
３０ｃ  中央部
３０ｅ  両端部
３０ｔ  先端部
３０ｘ  中心軸
６１    モータ
６２、６４    プーリ
６３    ベルト
６５、６６    歯車
Ｍ    レシート
Ｍｃ  中央部
Ｍｅ  両端部
【図１】
2019104585.tif 000003
【図２】
2019104585.tif 000004
【図３】
2019104585.tif 000005
【手続補正書】
【提出日】平成30年12月18日(2018.12.18)
【手続補正１】
【補正対象書類名】特許請求の範囲
【補正対象項目名】全文
【補正方法】変更
【補正の内容】
【特許請求の範囲】
【請求項１】
ロール用紙に印字を行ってレシートとして排紙部から前方に排出するプリンタの筐体内に搭載される取り忘れレシート回収構造であって、
レシートのカール癖を矯正するレシート矯正部と、
カール癖が矯正されたレシートを順次積層して収容するレシート収容部と、を有し、
前記レシート矯正部は、レシートの紙幅方向の両端に、レシートの紙幅方向に垂直な方向に延在し、かつ、下向きに曲がった形状の対の折り目を付けることによってレシートのカール癖を矯正し、
前記レシート収容部は、その底面から上方に突出し、収容するレシートの前記対の折り目の間を支持するレシート載置台を有し、
前記レシート載置台は、レシートの前記対の折り目の折り曲げ高さよりも大きい高さを有する、取り忘れレシート回収構造。
【請求項２】
前記レシート収容部は、前記レシート矯正部よりも後方かつ下方に設けられ、
前記レシート矯正部は、前記プリンタの前記排紙部の後方に設けられており、
前記レシート矯正部はさらに、
前記排紙部に滞留したレシートを前記レシート収容部に向けて搬送するレシート搬送手段と、
前記レシート搬送手段によって搬送中のレシートに前記対の折り目を付ける折り目付与手段と、を有する、請求項１に記載の取り忘れレシート回収構造。
【請求項３】
前記レシート搬送手段は、
レシートの下側にて前記紙幅方向に平行に延在するように設けられる下側回転軸と、
前記紙幅方向にレシートの紙幅よりも小さい間隔で対をなすように、前記下側回転軸に取り付けられた対の下側搬送ローラと、
レシートの上側にて前記紙幅方向に平行に延在するように設けられる上側回転軸と、
前記紙幅方向にレシートの紙幅よりも小さい間隔で対をなすように、前記上側回転軸に取り付けられ、レシートの紙面を、前記対の下側搬送ローラと共に挟んでレシートを後方に搬送する対の上側搬送ローラと、を有し、
前記折り目付与手段は、
前記対の下側搬送ローラに設けられ、前記紙幅方向に垂直な平坦面状または該紙幅方向の外側に向かって傾斜したテーパ面状を呈する対の外側側面と、
前記紙幅方向における前記対の上側搬送ローラよりも外側で対をなすように、前記上側回転軸に取り付けられた対の折り曲げローラと、
前記対の折り曲げローラに設けられ、前記紙幅方向の内側に向かって傾斜したテーパ面状を呈し、後方に搬送中のレシートの前記紙幅方向の両端の紙面を、前記対の外側側面と共に挟んでレシートに前記対の折り目を付ける対の内側側面と、を有する、請求項２に記載の取り忘れレシート回収構造。
【請求項４】
前記レシート載置台は、レシートの前記対の折り目の間隔よりも小さい幅を有する、請求項１乃至３のいずれか一項に記載の取り忘れレシート回収構造。
【請求項５】
前記レシート収容部に積層して収容されたレシートを上方から前記レシート載置台に向けて押圧するレシート押さえ板をさらに有する、請求項１乃至４のいずれか一項に記載の取り忘れレシート回収構造。
【請求項６】
前記レシート押さえ板は、少なくともレシートの前記紙幅方向における前記対の折り目の間を押圧する請求項５に記載の取り忘れレシート回収構造。
【請求項７】
前記レシート押さえ板は、後方に行くにしたがって前記レシート載置台との離間距離が小さくなるように傾斜しており、前記レシート矯正部から搬送されるレシートを前記レシート収容部に案内する、請求項５または６に記載の取り忘れレシート回収構造。
【請求項８】
請求項１乃至７のいずれか一項に記載の取り忘れレシート回収構造を有するプリンタ。
【請求項９】
請求項８に記載のプリンタを有する自動取引装置。